(57)【要約】【課題】光ファイバの余長部を収納することができ、また室内の引き込み口と光コンセントとの間に設けることで、光ファイバ配線時の引っ張り力を低減させることができる光ファイバ収納ケースを提供する。【解決手段】  光ファイバ収納ケース１００は、ベース１０と、カバー２０と、引き止め部材３０とから構成され、ベース１０は、底面１１と側壁１２とを有し、底面１１に光ファイバを配設させる光ファイバ案内手段１５と案内板１６が設けられ、ベース１０の側壁１２には、光ファイバを配設するための４つの開口部１３，１３ａが設けられ、また、側壁にカバー２０をロックするための突起部１４が３箇所に設けられている。開口部１３，１３ａは、光ファイバを配設する配線溝５０と、該配線溝５０と垂直方向に設けられ、引き止め部材３０を挿入するための嵌合溝５１，５２と、配線モールの端部を嵌め込む凹部５４，５３とが設けられた。【選択図】      図２
2007079105.tif 000002
【特許請求の範囲】
【請求項１】
光ファイバの余長部を収納する光ファイバ収納ケースであって、
前記光ファイバの許容曲げ半径よりも大きい半径を有し、前記光ファイバを配設させる光ファイバ案内手段と、側壁に前記光ファイバを配設するための少なくとも２つの開口部とを有するベースと、
前記開口部に着脱可能に配置され、前記光ファイバを固定するための引き止め部材と、
前記開口部に対応する位置に切り欠き部が設けられ、前記ベースに着脱可能に装着されるカバーとを備え、
前記開口部は、前記光ファイバを配設する配線溝と、該配線溝に対して垂直方向に設けられ、前記引き止め部材を挿入するための嵌合溝と、配線モールの端部を嵌め込む凹部とが設けられたことを特徴とする光ファイバ収納ケース。
【請求項２】
前記開口部の配線モールの端部を嵌め込む凹部は、異なる寸法の配線モールに対応する複数段を有することを特徴とする請求項１に記載の光ファイバ収納ケース。
【請求項３】
前記ベースの側壁に沿って角部に設けられた前記開口部において、前記配線モールの端部を嵌め込む凹部は、前記角部の側壁の一部を取り除いて形成されることを特徴とする請求項１または請求項２に記載の光ファイバ収納ケース。
【請求項４】
前記開口部は、引き止め部材を挿入して異なる直径の光ファイバを固定するための２つ以上の嵌合溝を有することを特徴とする請求項１乃至３のいずれかに記載の光ファイバ収納ケース。
【請求項５】
前記開口部は、引き止め部材を挿入する一方の嵌合溝の方向に対し、略直角方向に引き止め部材を装入する他方の嵌合溝を備えていることを特徴とする請求項１乃至４のいずれかに記載の光ファイバ収納ケース。
【発明の詳細な説明】
【技術分野】
【０００１】
本発明は、住宅またはオフィス等の室内に光ファイバを配線する際に、光ファイバ（光ファイバケーブル、光ケーブル心線）の余長部を収納することができ、また室内の引き込み口と光コンセントとの間に設けることで、光ファイバ配線時の引っ張り力を低減させることができる光ファイバ収納ケースに関するものである。
【背景技術】
【０００２】
近年、パソコン等デジタル機器が一般的に普及しており、業務用としてはもちろん、一般的な家庭内においても急激に普及している。これにともない、オフィス、および家庭内の各部屋に設けられたデジタル機器をより便利に使用するため、これらを相互接続してネットワークを構築することが求められる。また、相互接続された機器間で送受信される情報は、大容量な音声や画像等であり、これらを伝送するためには高速伝送が可能な伝送媒体である石英系光ファイバやプラスチック光ファイバ等の光ファイバケーブルが使用される。
【０００３】
従来、室内に光ファイバを配線する際に、光ファイバの融着部またはメカニカルプライスを含む光ファイバの余長部を収納するために、ファイバ収納ケースが用いられている。例えば、壁面に容易に設置できる光心線収納容器が提案されている（特許文献１参照）。
【０００４】
この場合、光心線収納容器は中継アダプタを有するものであり、壁面に適宜止着手段にて添着する背板の中間部に亙り折返し域では光心線の曲げ許容曲率半径以上の半径を描いて周回収容自在に設けた案内保持手段と、前記背板の一端寄りに前記光心線の取付及び固定を行う光心線留め手段と、前記背板の他端寄りに光アダプタ固定手段とを備えるベース部と、前記光心線留め手段に対応臨む蓋体の一端面部に欠設した前記光心線を引出す光心線引出用窓と、前記光アダプタ固定手段に対応臨む他端面部に欠設した光コネクタ挿入用窓とを備えるカバー部とで、適宜嵌止手段により組嵌形成してなる。
【０００５】
【特許文献１】実用新案登録公報第２５８０５６１号
【発明の開示】
【発明が解決しようとする課題】
【０００６】
しかしながら、上記した従来のファイバ収納ケース（光心線収納容器）の場合は、収納ケースに配線用光ケーブルと機器用光ケーブルとを接続する中継アダプタを有するため、光コンセントとしてユーザが容易に届く場所に配置することが必要となる。そのため、光コンセントとして大きなものになっており、美観性を失うという問題点があった。一方、通常の光コンセントのようにユーザの使用勝手や美観を考えて設置を考えると、光配線工事の作業性が考慮されない場合が多く、光ファイバの配線工事の効率が悪くなるという問題点があった。
【０００７】
また、従来は光ファイバを配線する際に、宅外からの光ファイバの引き込みから光コンセント（光接続部）までの引き込みを外から内、もしくは内から外に配線することになり、光ファイバへの引き込み負荷が大きく、光ファイバへのダメージが発生する可能性があった。
【０００８】
また、室内の光ファイバ配線において、室内の引き込み口から光コンセント（光接続部）までの配線路にクランク曲げが複数箇所存在する場合に、光ファイバの引き込み時の引っ張り力が光ファイバの許容引っ張り力を超えてしまう場合があるという問題点があった。
【０００９】
そこで、本発明は、このような問題点を考慮してなされたもので、光ファイバの余長部を収納することができ、また室内の引き込み口と光コンセントとの間に設けることで、光ファイバ配線時の引っ張り力を低減させることができる光ファイバ収納ケースを提供することを目的とする。
【課題を解決するための手段】
【００１０】
上記課題を解決するため、本発明に係る光ファイバ収納ケースは、光ファイバの余長部を収納する光ファイバ収納ケースであって、前記光ファイバの許容曲げ半径よりも大きい半径を有し、前記光ファイバを配設させる光ファイバ案内手段と、側壁に前記光ファイバを配設するための少なくとも２つの開口部とを有するベースと、前記開口部に着脱可能に配置され、前記光ファイバを固定するための引き止め部材と、前記開口部に対応する位置に切り欠き部が設けられ、前記ベースに着脱可能に装着されるカバーとを備え、前記開口部は、前記光ファイバを配設する配線溝と、該配線溝に対して垂直方向に設けられ、前記引き止め部材を挿入するための嵌合溝と、配線モールの端部を嵌め込む凹部とが設けられたものである。
【００１１】
例えば、前記開口部の配線モールの端部を嵌め込む凹部は、異なる寸法の配線モールに対応する複数段を有する。また、前記ベースの側壁に沿って角部に設けられた前記開口部において、前記配線モールの端部を嵌め込む凹部は、前記角部の側壁の一部を取り除いて形成される。また、前記開口部は、引き止め部材を挿入して異なる直径の光ファイバを固定するための２つ以上の嵌合溝を有する。さらに、前記開口部は、引き止め部材を挿入する一方の嵌合溝の方向に対し、略直角方向に引き止め部材を装入する他方の嵌合溝を備えている。
【００１２】
本発明においては、光ファイバ収納ケースは、光ファイバの許容曲げ半径よりも大きい半径を有し、光ファイバを配設させる光ファイバ案内手段と、側壁に前記光ファイバを配設するための少なくとも２つの開口部とを有するベースと、開口部に着脱可能に配置され、光ファイバを固定するための引き止め部材と、開口部に対応する位置に切り欠き部が設けられ、ベースに着脱可能に装着されるカバーとを備え、開口部は、光ファイバを配設する配線溝と、該配線溝と垂直方向に設けられ、引き止め部材を挿入するための嵌合溝と、配線モールの端部を嵌め込む凹部が設けられた。
【００１３】
これにより、光ファイバの余長部を収納することができ、また室内の引き込み口と光コンセントとの間に設けることで、光ファイバ配線時の引っ張り力を低減させることが可能となる。そのため、光ファイバの配線工事の効率を向上することが可能となる。また、光ファイバ案内手段は光ファイバの許容曲げ半径よりも大きい半径を有するため、収納されている光ファイバの過度の湾曲を回避することが可能となる。
【００１４】
また、開口部に複数段の配線モールの端部を嵌め込む凹部が設けられるため、異なる寸法の配線モールに対応することができ、配線工事の汎用性を向上することが可能となる。
【００１５】
また、ベースの側壁に沿って角部に設けられた開口部において、配線モールの端部を嵌め込む凹部は、角部の側壁の一部を取り除いて形成されるため、壁際に配置された配線モールに沿って簡単に位置決めることが可能となる。
【００１６】
また、開口部には、２以上の異なる寸法の嵌合溝が設けられるため、引き止め部材を挿入して異なる直径の光ファイバを固定することが可能となる。
また、２つの開口部は、互いに略直角方向に設けられることで、９０度の角度で配線することが可能となる。
【発明の効果】
【００１７】
本発明によれば、光ファイバ収納ケースは、光ファイバの許容曲げ半径よりも大きい半径を有し、光ファイバを配設させる光ファイバ案内手段と、側壁に前記光ファイバを配設するための少なくとも２つの開口部とを有するベースと、開口部に着脱可能に配置され、光ファイバを固定するための引き止め部材と、開口部に対応する位置に切り欠き部が設けられ、ベースに着脱可能に装着されるカバーとを備え、開口部は、光ファイバを配設する配線溝と、該配線溝に対して垂直方向に設けられ、引き止め部材を挿入するための嵌合溝と、配線モールの端部を嵌め込む凹部が設けられたものであり、光ファイバの余長部を収納することができ、また室内の引き込み口と光コンセントとの間に設けることで、光ファイバ配線時の引っ張り力を低減させることができる。そのため、光ファイバの配線工事の効率を向上することができる。また、収納されている光ファイバの過度の湾曲を回避することができる。
【００１８】
また、開口部に複数段の配線モールの端部を嵌め込む凹部が設けられるため、異なる寸法の配線モールに対応することができ、配線工事の汎用性を向上することができる。
【００１９】
また、ベースの側壁に沿って角部に設けられた開口部において、配線モールの端部を嵌め込む凹部は、角部の側壁の一部を取り除いて形成されるため、壁際に配置された配線モールに沿って簡単に位置決めることができる。
【００２０】
また、開口部には、２以上の異なる寸法の嵌合溝が設けられるため、引き止め部材を挿入して異なる直径の光ファイバを固定することができ、配線工事の汎用性を向上することができる。また、２つの開口部は、互いに略直角方向に設けられることで、９０度の角度で配線することができる。
さらに、中継アダプタを有しないので光ファイバ収納ケース自体を薄くすることができ、コストを削減することができると共に、デザイン性を向上することができる。
【発明を実施するための最良の形態】
【００２１】
本発明に係る光ファイバ収納ケースを実施するための最良の形態を、図を参照して説明する。
【００２２】
図１は、本発明の実施の形態の光ファイバ収納ケースの構成を示す斜視図である。図２は、ベース１０の構成を示す斜視図である。図３は、カバー２０の構成を示す斜視図である。この図３において、カバー２０を上向きにした状態を示している。また、図４は、引き止め部材３０の構成を示す斜視図である。
【００２３】
図１〜図４に示すように、光ファイバ収納ケース１００は、ベース１０と、カバー２０と、引き止め部材３０とから構成されている。この光ファイバ収納ケース１００において、引き止め部材３０は、ベース１０の嵌合溝５１，５２に着脱可能に装着される。また、カバー２０は、ベース１０に着脱可能に装着される。
【００２４】
図２に示すように、ベース１０は、例えば樹脂材料を用いて成型される。このベース１０は、底面１１と側壁１２とを有し、底面１１に光ファイバを配設させる光ファイバ案内手段１５と案内板１６が設けられている。光ファイバ案内手段１５は、光ファイバの許容曲げ半径よりも大きい半径を有し、例えば半径１５ｍｍ以上とされる。この光ファイバ案内手段１５の上端に光ファイバを規制するための押さえ板１７が設けられている。押さえ板１７の数は２個に限定されるものではない。また、底面１１に取り付け用ネジ穴１８が設けられている。また、ベース１０の側壁１２には、光ファイバを配設するための４つの開口部１３，１３ａが設けられ、また、側壁にカバー２０をロックするための突起部１４が３箇所に設けられている。
【００２５】
図３に示すように、カバー２０は、例えば樹脂材料を用いて成型される。このベース１０は、天面２１と側壁２２とを有している、側壁２２には、ベース１０の開口部１３，１３ａに対応する位置に切り欠き部２３，２３ａが設けられ、また、ベース１０の突起部１４に対応する位置に嵌合穴２４が設けられている。
【００２６】
また、図５は、引き止め部材３０の構成を示す平面図である。図５（Ａ）は引き止め部材３０の正面図であり、図５（Ｂ）は引き止め部材３０の側面図である。図４および図５に示すように、引き止め部材３０は柱形部３１の両側に楔形部３２を有している。楔形部３２の上端の厚さをＡ１、下端の厚さをＡ２（Ａ２＜Ａ１）とする。光ファイバの余長部を収納する際に、楔形部３２を開口部１３，１３ａの嵌合溝５１または嵌合溝５２に挿入して、柱形部３１の底面は光ファイバを押さえるようにすることで、光ファイバを引き留めることができる。
【００２７】
図６は、開口部１３のＢ−Ｂ断面図である。図６に示すように、開口部１３には２つの嵌合溝５１，５２が設けられている。嵌合溝５１と嵌合溝５２は異なる幅および深さを有している。この例においては、嵌合溝５１の幅はＢ１とされ、嵌合溝５２の幅はＢ２（Ｂ１＜Ｂ２）とされる。また、深さの差はｈとされる。
【００２８】
図７は、配線モールの配設状態を示す図である。図７（Ａ）は小寸法の配線モールの配設状態を示している。図７（Ｂ）は大寸法の配線モールの配設状態を示している。図７に示すように、小寸法の配線モール４０Ａを用いる場合、配線モール４０Ａの先端を凹部５４に嵌め込むことができる。また、大寸法の配線モール４０Ｂを用いる場合、配線モール４０Ｂの先端を凹部５３に嵌め込むことができる。これにより、２つタイプの配線モールを対応することができる。このように、開口部１３，１３ａを３つ以上の異なる寸法の配線モールを対応するものにしてもよい。
【００２９】
図８は、光ファイバ収納ケース１００を壁際に配置する場合の平面図である。図８に示すように、開口部１３ａは壁に隣接するようになされているので、配線モール４０Ａは壁に沿って配設することが可能である。また、配線モール４０Ａが先に配置された場合でも光ファイバ収納ケース１００を取り付けることができるので、位置決めが簡単で作業性を向上することができる。
【００３０】
図９は、引き止め部材３０の装着状態を示す断面図である。図９（Ａ）は直径の大きい光ファイバ１を固定する状態およびＸ−Ｘ断面を示している。また、図９（Ｂ）は直径の小さい光ファイバ１を固定する状態およびＹ−Ｙ断面を示している。
【００３１】
図９（Ａ）に示すように、引き止め部材３０を嵌合溝５１に挿入する場合、楔形部３２が嵌合溝５１に固定され、引き止め部材３０の底面が光ファイバ１を押さえるようになる。なお、嵌合溝５１と配線溝５０との間に段差Ｃ１を有しているので、この段差部がストッパーとなり、引き止め部材３０の過圧入による光ファイバ１の変形および損壊を防ぐことができる。
【００３２】
図９（Ｂ）に示すように、引き止め部材３０を嵌合溝５２に挿入する場合、楔形部３２が嵌合溝５２に固定され、引き止め部材３０の底面が光ファイバ１を押さえるようになる。なお、嵌合溝５２と配線溝５０との間に段差Ｃ２（Ｃ２＜Ｃ１）を有しているので、この段差部がストッパーとなり、引き止め部材３０の過圧入による光ファイバ１の変形および損壊を防ぐことができる。
【００３３】
このように、異なる幅と深さを有する嵌合溝を設けることで、１つの引き止め部材３０を用いて異なる直径の光ファイバ１を固定することができ、汎用性を向上することができる。なお、嵌合溝の数は２つに限定されるものではない。３以上の嵌合溝を設けるようにしてもよい。
【００３４】
次に、光ファイバ収納ケース１００を用いて光ファイバ１を収納する方法について、図面を参照しながら説明する。光ファイバ収納ケース１００の設置は、まず、ベース１０を取付ネジなどで壁面に取り付ける。
【００３５】
次に、配線モール４０Ａまたは４０Ｂを配置する。この場合、配線モール４０Ａまたは４０Ｂの端部を凹部５４または凹部５３に嵌め込むように配置する。
次に、光ファイバ１を開口部１３，１３ａより導入、または導出するようにし、光ファイバ１の余長部を光ファイバ案内手段１５に巻き付けて保持する。
【００３６】
次に、光ファイバ１の直径によって引き止め部材３０を嵌合溝５１または嵌合溝５２に挿入して光ファイバ１を押さえるように嵌合溝５１，５２の底面まで圧入する。そして、カバー２０をベース１０の上に装着し、突起部１４によりロックする。
【００３７】
このように本実施の形態においては、光ファイバ収納ケース１００は、ベース１０と、カバー２０と、引き止め部材３０とから構成され、ベース１０は、底面１１と側壁１２とを有し、底面１１に光ファイバの余長部を巻き付けて保持するための光ファイバ案内手段１５と案内板１６が設けられ、ベース１０の側壁１２には、光ファイバを配設するための４つの開口部１３，１３ａが設けられ、また、側壁にカバー２０をロックするための突起部１４が３箇所に設けられている。
【００３８】
開口部１３，１３ａは、光ファイバ１を配設する配線溝５０と、該配線溝５０と垂直方向に設けられ、引き止め部材３０を挿入するための嵌合溝５１，５２と、配線モール４０Ａ，４０Ｂの端部を嵌め込む凹部５４，５３とが設けられた。
【００３９】
これにより、光ファイバの余長部を収納することができ、また室内の引き込み口と光コンセントとの間に設けることで、光ファイバ配線時の引っ張り力を低減させることができる。そのため、光ファイバの配線工事の効率を向上することができる。また、収納されている光ファイバの過度の湾曲を回避することができる。また、中継アダプタを有しないのでケースを薄くすることができ、コストを削減することができると共に、デザイン性を向上することができる。
【００４０】
また、開口部１３，１３ａに複数段の凹部５３，５４が設けられるため、異なる寸法の配線モールに対応することができ、配線工事の汎用性を向上することができる。
【００４１】
また、ベース１０の側壁に沿って角部に設けられた開口部１３ａにおいて、配線モールの端部を嵌め込む凹部５３，５４は、角部の側壁の一部を取り除いて形成されるため、壁際に配置された配線モールに沿って簡単に位置決めることができる。また、９０度の角度で配線することができる。
【００４２】
また、開口部１３，１３ａには、２つの嵌合溝５１，５２を設けることで、引き止め部材３０を挿入して異なる直径の光ファイバを固定することができ、配線工事の汎用性を向上することができる。
【００４３】
なお、上述実施の形態においては、光ファイバ収納ケース１００は樹脂材料から形成されるものであるが、これに限定されるものではない。例えば、金属材料など他の材料から形成されるようにしてもよい。
【００４４】
また、上述実施の形態においては、ベース１０に４つの開口部１３，１３ａが設けられたものとしたが、これに限定されるものではない。
【００４５】
また、上述実施の形態においては、突起部１４によりカバー２０をロックする構成について説明したが、これに限定されるものではない。他のロック機構を用いてもよい。
【産業上の利用可能性】
【００４６】
この発明は、光通信ネットワークを構築する際、オフィスおよび住宅内に光ファイバケーブル配線の余長部を収納する目的に利用できる。特に室内の引き込み口と光コンセントとの間に設けることができ、さらに光ファイバ配線時の引っ張り力を低減させることができ、光ファイバケーブル配線の余長部を収納する光ファイバ収納ケースとして利用できる。
【図面の簡単な説明】
【００４７】
【図１】実施の形態の光ファイバ収納ケースの構成を示す斜視図である。
【図２】ベース１０の構成を示す斜視図である。
【図３】カバー１０の構成を示す斜視図である。
【図４】引き留め部材３０の構成を示す斜視図である。
【図５】引き留め部材３０の構成を示す平面図である。
【図６】開口部１３のＢ−Ｂ断面図である。
【図７】配線モールの配設状態を示す図である。
【図８】光ファイバ収納ケース１００を壁際に配置する場合の平面図である。
【図９】引き止め部材３０の装着状態を示す断面図である。
【符号の説明】
【００４８】
１  光ファイバ
１０  ベース
１１  底面
１２  側壁
１３  開口部装着部
１４  嵌合穴
１５  光ファイバ案内手段
１６  案内板
１７  押さえ板
１８  ネジ穴
２０  カバー
２１  天面
２２  側壁
２３，２３ａ  切り欠き部
２４  嵌合穴
３０  引き留め部材
３１  柱形部
３２  楔形部
４０Ａ，４０Ｂ  配線モール
５０  配線溝
５１，５２  嵌合溝
５３，５４  凹部
１００  光ファイバ収納ケース
【図１】
2007079105.tif 000003
【図２】
2007079105.tif 000004
【図３】
2007079105.tif 000005
【図４】
2007079105.tif 000006
【図５】
2007079105.tif 000007
【図６】
2007079105.tif 000008
【図７】
2007079105.tif 000009
【図８】
2007079105.tif 000010
【図９】
2007079105.tif 000011